【手続補正書】
【提出日】平成31年4月5日(2019.4.5)
【手続補正１】
【補正対象書類名】明細書
【補正対象項目名】００１７
【補正方法】変更
【補正の内容】
【００１７】
１つの態様では、印刷装置は、複数の印刷物を作成するための印刷データと、前記印刷データを送信するユーザ及び前記印刷データを生成した機器の少なくともいずれかを識別するための識別情報と、を取得する取得部と、前記印刷データに基づいて印刷が行われた被印刷媒体を切り離す第１の切断部と、前記取得部で取得された前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第１印刷物と前記第２印刷データに対応して作成される複数の第２印刷物と、を前記第１の切断部によって互いに切り離された状態で作成するか否かの判定を行う制御部と、を備える。
【手続補正２】
【補正対象書類名】明細書
【補正対象項目名】００１８
【補正方法】変更
【補正の内容】
【００１８】
別の１つの態様では、印刷方法は、複数の印刷物を作成するための印刷データと、前記印刷データを送信するユーザ及び前記印刷データを生成した機器の少なくともいずれかを識別するための識別情報と、を取得し、前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第１印刷物と前記第２印刷データに対応して作成される複数の第２印刷物とを互いに切り離された状態で作成するか否かの判定を行う。
【手続補正３】
【補正対象書類名】明細書
【補正対象項目名】００１９
【補正方法】変更
【補正の内容】
【００１９】
別の１つの態様では、複数の印刷物を作成するための印刷データと、前記印刷データを送信するユーザ及び前記印刷データを生成した機器の少なくともいずれかを識別するための識別情報と、を取得する機能と、前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第１印刷物と前記第２印刷データに対応して作成される複数の第２印刷物とを互いに切り離された状態で作成するか否かの判定を行う機能と、をコンピュータに実現させる。
【手続補正４】
【補正対象書類名】特許請求の範囲
【補正対象項目名】全文
【補正方法】変更
【補正の内容】
【特許請求の範囲】
【請求項１】
複数の印刷物を作成するための印刷データと、前記印刷データを送信するユーザ及び前記印刷データを生成した機器の少なくともいずれかを識別するための識別情報と、を取得する取得部と、
前記印刷データに基づいて印刷が行われた被印刷媒体を切り離す第１の切断部と、
前記取得部で取得された前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第1月印刷物と前記第２印刷データに対応して作成される複数の第２印刷物と、を前記第１の切断部によって互いに切り離された状態で作成するか否かの判定を行う制御部と、
を備えることを特徴とする印刷装置。
【請求項２】
前記制御部は、前記第１識別情報と前記第２識別情報とが互いに一致している場合には、前記複数の第１印刷物と前記複数の第２印刷物とを、前記互いに切り離されていない状態にするように制御し、
前記第１識別情報と前記第２識別情報とが互いに異なっている場合には、前記複数の第１印刷物と前記複数の第２印刷物とを、前記互いに切り離された状態にするように制御する、
ことを特徴とする請求項１に記載の印刷装置。
【請求項３】
前記第１印刷データは、連続印刷物を作成するための連続印刷モードが設定されているか否かの情報を含み、
前記制御部は、
前記第１印刷データに前記連続印刷モードが設定されていて、前記第１識別情報と前記第２識別情報とが互いに一致している場合に、前記複数の第１印刷物と前記複数の第２印刷物とを、前記互いに切り離されていない状態にするように制御し、
前記第１の印刷データに前記連続印刷モードが設定されておらず、前記第１識別情報と前記第２識別情報とが互いに一致している場合に、前記複数の第１印刷物と前記複数の第２印刷物とを、前記互いに切り離された状態にするように制御する、
ことを特徴とする請求項１又は２に記載の印刷装置。
【請求項４】
前記被印刷媒体は、基材と、当該基材に剥離可能に貼付された剥離紙と、を有し、
前記印刷装置は、前記被印刷媒体における前記基材のみを切断する第２の切断部を更に備え、
前記制御部は、前記複数の第1印刷物と前記複数の第２印刷物とを、前記互いに切り離されていない状態にする場合に、前記第２の切断装置により、前記複数の第１印刷物と前記複数の第２印刷物との間で切断させるように制御する、
ことを特徴とする請求項１から３のいずれか１項に記載の印刷装置。
【請求項５】
前記識別情報は、前記印刷データの通信方式と、前記印刷データの送信元を表すＩＰアドレス又はＭＡＣアドレスと、前記ユーザに割り当てられたユーザＩＤと、のうちの少なくとも１つを含む、
ことを特徴とする請求項１から４のいずれか１項記載の印刷装置。
【請求項６】
複数の印刷物を作成するための印刷データと、前記印刷データを送信するユーザ及び前記印刷データを生成した機器の少なくともいずれかを識別するための識別情報と、を取得し、
前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第１印刷物と前記第２印刷データに対応して作成される複数の第２印刷物とを互いに切り離された状態で作成するか否かの判定を行う、
ことを特徴とする印刷方法。
【請求項７】
複数の印刷物を作成するための印刷データと、前記印刷データを送信するユーザ及び前記印刷データを生成した機器の少なくともいずれかを識別するための識別情報と、を取得する機能と、
前記印刷データとしての第１印刷データと、前記第１印刷データに対応する前記識別情報としての第１識別情報と、を取得した後に、前記印刷データとしての第２印刷データと、前記第２印刷データに対応する前記識別情報としての第２識別情報と、を取得した場合に、少なくとも前記第１識別情報及び前記第２識別情報に基づいて、前記第１印刷データに対応して作成される複数の第１印刷物と前記第２印刷データに対応して作成される複数の第２印刷物とを互いに切り離された状態で作成するか否かの判定を行う機能と、
をコンピュータに実現させることを特徴とするプログラム。